(57)【要約】 【課題】可撓性磁気ディスク、その製造方法および磁気ディスクカートリッジにおいて、可撓性磁気ディスクの記録領域全域にわたって安定した記録再生特性が得られ、且つ走行耐久性に優れ、高密度記録に適したものとする。【解決手段】  ロール状のシートから引き出されて打ち抜かれた反りを有する円盤状の可撓性磁気記録媒体の中心部にセンターコア部材を固着してなる可撓性磁気ディスクにおいて、センターコア部材３０の、可撓性磁気記録媒体５０との固着面３２が円筒面状に形成されており、可撓性磁気記録媒体５０とセンターコア部材３０が、反りと円筒面状の湾曲の方向が逆になるように固着される。【選択図】          図２
2005259217.tif 000002
【特許請求の範囲】
【請求項１】
ロール状のシートから引き出されて打ち抜かれた反りを有する円盤状の可撓性磁気記録媒体の中心部にセンターコア部材を固着してなる可撓性磁気ディスクにおいて、
前記センターコア部材の、前記可撓性磁気記録媒体との固着面が円筒面状に形成されており、前記可撓性磁気記録媒体と前記センターコア部材が、前記反りと前記円筒面の湾曲の方向が逆になるように固着されていることを特徴とする可撓性磁気ディスク。
【請求項２】
前記センターコア部材の前記固着面が凹面であることを特徴とする請求項１記載の可撓性磁気ディスク。
【請求項３】
前記センターコア部材の前記固着面が凸面であることを特徴とする請求項１記載の可撓性磁気ディスク。
【請求項４】
ロール状のシートから引き出されて打ち抜かれた反りを有する円盤状の可撓性磁気記録媒体の中心部にセンターコア部材を固着してなる可撓性磁気ディスクにおいて、
前記センターコア部材の、前記可撓性磁気記録媒体との固着面上に、表面が円筒面状に形成された接着部材が設けられ、前記可撓性磁気記録媒体が前記センターコア部材上に、前記反りと前記円筒面の湾曲の方向が逆になるように固着されていることを特徴とする可撓性磁気ディスク。
【請求項５】
前記接着部材の前記円筒面が凹面であることを特徴とする請求項４記載の可撓性磁気ディスク。
【請求項６】
前記接着部材の前記円筒面が凸面であることを特徴とする請求項４記載の可撓性磁気ディスク。
【請求項７】
ロール状のシートから引き出されて打ち抜かれた反りを有する円盤状の可撓性磁気記録媒体の中心部にセンターコア部材を固着して可撓性磁気ディスクを製造する可撓性磁気ディスクの製造方法において、
前記可撓性磁気記録媒体のロールに沿った反りの方向を検出する反り検出工程と、
前記可撓性磁気記録媒体の反りと逆の湾曲の円筒面を前記可撓性磁気記録媒体との固着面に有する前記センターコア部材の向きを制御する方向制御工程と、
前記反りと前記円筒面の湾曲の方向が逆になるように前記可撓性磁気記録媒体を前記センターコア部材に固着する固着工程と、
を備えることを特徴とする可撓性磁気ディスクの製造方法。
【請求項８】
ロール状のシートから引き出されて打ち抜かれた反りを有する円盤状の可撓性磁気記録媒体の中心部にセンターコア部材を固着してなる可撓性磁気ディスクと、該可撓性磁気ディスクを回転自在に収容するとともにドライブ装置の磁気ヘッドを前記可撓性磁気記録媒体の表面にアクセスさせるための開口を有するハウジングと、該開口を開閉するように前記ハウジングに設けられたシャッタ部材とを有する磁気ディスクカートリッジにおいて、
前記センターコア部材の、前記可撓性磁気記録媒体との固着面が円筒面状に形成されており、前記可撓性磁気記録媒体と前記センターコア部材が、前記反りと前記円筒面の湾曲の方向が逆になるように固着されていることを特徴とする磁気ディスクカートリッジ。
【発明の詳細な説明】
【技術分野】
【０００１】
本発明は、デジタルカメラ等のモバイル機器等に使用される可撓性磁気ディスク等に関し、特に、ロール状のシートから引き出されて打抜かれた円盤状の可撓性磁気記録媒体の中心部にセンターコア部材を固着して製造される可撓性磁気ディスク、可撓性磁気ディスクの製造方法およびこの可撓性磁気ディスクを使用した磁気ディスクカートリッジに関するものである。
【背景技術】
【０００２】
従来、デジタルカメラ等のモバイル機器においては、記録媒体として例えば「ｃｌｉｋ！（登録商標）」と呼ばれる超小型の磁気ディクカートリッジが使用されている。
【０００３】
この磁気ディスクカートリッジ１について、図７（ａ）〜（ｃ）にロータリーシャッタ７が閉状態にある平面図、右側面図および底面図を、図８に分解斜視図をそれぞれ示す。図７および図８に示される磁気ディスクカートリッジ１は、押込み部２ａを含む樹脂製のフレーム２と、金属薄板からなる上下シェル半体３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
磁気ディスクカートリッジ１の開口６を開閉するロータリーシャッタ７は、互いに係合された上下のシャッタ部材７Ｕ、７Ｄ（図８参照）からなり、上シャッタ部材７Ｕは上シェル半体３に、下シャッタ部材７Ｄは下シェル半体４にそれぞれ回転可能に軸支されている。そして、磁気ディスク（可撓性磁気記録媒体）５と上下のシャッタ部材７Ｕ、７Ｄとの間には、それぞれライナー１８が介挿されている。ハウジングの下シェル半体４には、磁気ディスク５のセンターコア部材１０を外部に臨ませる円形の中心孔４ａが形成されている。
【０００５】
上シャッタ部材７Ｕと下シャッタ部材７Ｄとからなるロータリーシャッタ７は、小径の長いコイルばね１４によって閉方向にばね付勢されており、このコイルばね１４の装着のためにガイドワイヤ１３がコイルばね１４内を長さ方向に貫通している。上記ガイドワイヤ１３の両端は、フレーム２の左右端のロータリーシャッタ７の外周面に対向する係止部においてそれぞれフレーム２に係止されている。
【０００６】
以上概略説明した磁気ディスクカートリッジ１は、近年、ユーザーの扱うデータの大容量化に伴い、可撓性磁気記録媒体の大容量化が求められている。この大容量の可撓性磁気記録媒体は、線記録密度およびトラック密度の向上により極めて高密度、例えば１５５Ｍｂ/ｃｍ２（１Ｇｂ/ｉｎ２）でデータが記録される。他方、磁気記録媒体の素材となる磁気シートは、図９に示すように生産性の観点から連続して製造されロール状にして保管される（図９）。そして、このロール状の磁気シート１９が引き出されて円形に打抜かれて円盤状の可撓性磁気記録媒体５が製造される。そして、この可撓性磁気記録媒体５の中心部にセンターコア部材１０が固着される。
【発明の開示】
【発明が解決しようとする課題】
【０００７】
上記説明したように可撓性磁気ディスクに製造された後も、可撓性磁気記録媒体は磁気シートがロール状態で保管されていたときの湾曲（カール）が残存してしまう。可撓性磁気記録媒体の大容量化を進めるにあたり、この湾曲状の反りがあることにより十分な記録再生特性を得ることが困難であることがわかった。例えば、データの記録・読み出し用の磁気ヘッドと磁気ディスク媒体との間の間隔が変動して安定したデータ信号の電磁変換特性が得られないという問題が生じる。また、安定したサーボトラッキング特性が得られず、隣接したトラックに記録してしまうというおそれがある。また、信号を記録したトラックが蛇行する場合や、磁気ヘッドと磁気記録媒体が、磁気ディスクの回転時に周期的に衝突し、磁気記録媒体に微小な傷を発生させ、ドロップアウトになってしまう場合がある。
【０００８】
このような傾向は、記録密度が高い場合に顕著であり、再生時のトラック幅が５μｍ未満の高いトラック密度の記録再生システムで問題が生じるおそれがある。また、可撓性磁気記録媒体では、２つの磁気ヘッドにより磁気記録媒体を両面から挟み込み両方の磁気ヘッドのバランスにより成り立っているので、この反りの影響によってバランスが崩れるおそれがある。
【０００９】
本発明は、上記事情に鑑みてなされたものであり、可撓性磁気ディスクの記録領域全域にわたって安定した記録再生特性が得られ、且つ走行耐久性に優れ、高密度記録に適した可撓性磁気ディスク、可撓性磁気ディスクの製造方法および磁気ディスクカートリッジを提供することを目的とする。
【課題を解決するための手段】
【００１０】
本発明の可撓性磁気ディスクは、ロール状のシートから引き出されて打ち抜かれた反りを有する円盤状の可撓性磁気記録媒体の中心部にセンターコア部材を固着してなる可撓性磁気ディスクにおいて、センターコア部材の、可撓性磁気記録媒体との固着面が円筒面状に形成されており、可撓性磁気記録媒体とセンターコア部材が、反りと円筒面の湾曲の方向が逆になるように固着されていることを特徴とするものである。
【００１１】
円筒面状とは、円筒の一部を構成する面の状態をいう。
【００１２】
上記センターコア部材の固着面は、凹面または凸面とすることができる。
【００１３】
また、本発明の可撓性磁気ディスクは、ロール状のシートから引き出されて打ち抜かれた反りを有する円盤状の可撓性磁気記録媒体の中心部にセンターコア部材を固着してなる可撓性磁気ディスクにおいて、センターコア部材の、可撓性磁気記録媒体との固着面上に、表面が円筒面状に形成された接着部材が設けられ、可撓性磁気記録媒体がセンターコア部材上に、反りと円筒面の湾曲の方向が逆になるように固着されていることを特徴とするものである。
【００１４】
上記接着部材の円筒面は、凹面または凸面とすることができる。
【００１５】
また、本発明の可撓性磁気ディスクの製造方法は、ロール状のシートから引き出されて打ち抜かれた反りを有する円盤状の可撓性磁気記録媒体の中心部にセンターコア部材を固着して可撓性磁気ディスクを製造する可撓性磁気ディスクの製造方法において、可撓性磁気記録媒体のロールに沿った反りの方向を検出する反り検出工程と、可撓性磁気記録媒体の反りと逆の湾曲の円筒面を可撓性磁気記録媒体との固着面に有するセンターコア部材の向きを制御する方向制御工程と、反りと円筒面の湾曲の方向が逆になるように可撓性磁気記録媒体をセンターコア部材に固着する固着工程とを備えることを特徴とするものである。
【００１６】
また、本発明の可撓性磁気ディスクカートリッジは、ロール状のシートから引き出されて打ち抜かれた反りを有する円盤状の可撓性磁気記録媒体の中心部にセンターコア部材を固着してなる可撓性磁気ディスクと、可撓性磁気ディスクを回転自在に収容するとともにドライブ装置の磁気ヘッドを可撓性磁気記録媒体の表面にアクセスさせるための開口を有するハウジングと、開口を開閉するようにハウジングに設けられたシャッタ部材とを有する磁気ディスクカートリッジにおいて、センターコア部材の、可撓性磁気記録媒体との固着面が円筒面状に形成され、可撓性磁気記録媒体とセンターコア部材が、反りと円筒面の湾曲の方向が逆になるように固着されていることを特徴とするものである。
【発明の効果】
【００１７】
本発明の可撓性磁気ディスクは、センターコア部材の、ロール状のシートから引き出されて打ち抜かれた反りを有する円盤状の可撓性磁気記録媒体との固着面が円筒面状に形成されており、可撓性磁気記録媒体とセンターコア部材が、反りと円筒面の湾曲の方向が逆になるように固着されているので、磁気記録媒体の反りが円筒面の湾曲により相殺されて、全体として平坦化し、記録領域全域にわたって安定した記録再生特性が得られる。また、平坦化されたことにより、記録再生時に磁気ヘッドが磁気記録媒体に衝突する可能性も低減するので走行耐久性に優れ、高密度記録に適した可撓性磁気ディスクが得られる。
【００１８】
また、上記センターコア部材の固着面が、凹面または凸面である場合は、磁気記録媒体の反りに対してどちらの面形状で対応してもよいので、設計の自由度が大きくなる。
【００１９】
また、本発明の可撓性磁気ディスクは、センターコア部材の、ロール状のシートから引き出されて打ち抜かれた反りを有する円盤状の可撓性磁気記録媒体との固着面上に、表面が円筒面状に形成された接着部材が設けられ、可撓性磁気記録媒体がセンターコア部材上に、反りと円筒面の湾曲の方向が逆になるように固着されているので、磁気記録媒体の反りが接着部材の湾曲により相殺されて、全体として平坦化し、記録領域全域にわたって安定した記録再生特性が得られ、且つ走行耐久性に優れ、高密度記録に適した可撓性磁気ディスクが得られる。
【００２０】
上記接着部材の円筒面が、凹面または凸面である場合は、どちらの面形状でもよいので、設計の自由度が大きくなる。
【００２１】
また、本発明の可撓性磁気ディスクの製造方法は、可撓性磁気記録媒体のロールに沿った反りの方向を検出する反り検出工程と、可撓性磁気記録媒体の反りと逆の湾曲の円筒面を可撓性磁気記録媒体との固着面に有するセンターコア部材の向きを制御する方向制御工程と、反りと円筒面の湾曲の方向が逆になるように可撓性磁気記録媒体をセンターコア部材に固着する固着工程とを備えるので、磁気記録媒体の反りが固着面の湾曲により相殺されて、全体として平坦化し、記録領域全域にわたって安定した記録再生特性が得られ、且つ走行耐久性に優れ、高密度記録に適した可撓性磁気ディスクが得られる。
【００２２】
また、本発明の磁気ディスクカートリッジは、センターコア部材の、ロール状のシートから引き出されて打ち抜かれた反りを有する円盤状の可撓性磁気記録媒体との固着面が円筒面状に形成されており、可撓性磁気記録媒体とセンターコア部材が、反りと円筒面の湾曲の方向が逆になるように固着されているので、磁気記録媒体の反りが固着面の湾曲により相殺されて、全体として平坦化し、記録領域全域にわたって安定した記録再生特性が得られ、且つ走行耐久性に優れ、高密度記録に適した磁気ディスクカートリッジが得られる。
【発明を実施するための最良の形態】
【００２３】
以下、本発明の可撓性磁気ディスク（以下、単に磁気ディスクという）、磁気ディスクの製造方法および磁気ディスクカートリッジの好ましい実施の形態について、添付図面を参照して詳細に説明する。なお、添付図は、本発明の概念の理解を容易にするため、各部材の寸法および形状の比率は誇張してあり、実際とは相違する。図１は、本発明の磁気ディスクに使用されるセンターコア部材の斜視図である。図２は、図１のセンターコア部材に反りのある可撓性磁気記録媒体（以下、単に記録媒体という）を固着する態様を示す側面図であり、図２（ａ）は固着前、図２（ｂ）は固着後を夫々示す。
【００２４】
図１に示すように、センターコア部材３０は、金属製の円盤状であり、円筒面状に湾曲した上面を有する。この上面は後述する記録媒体５０との固着面３２となる。固着面３２は、上面が仮想線３４で示す平坦な形状の場合と比較して、センターコア部材３０の中心を通って上記平坦な場合の上面と平行な直線３６に沿った中央部分が最も低く、両側の端部３８が仮想線３４の高さと一致した凹面となっている。この円筒面は、次に説明する記録媒体５０の反りの湾曲の程度と略同じとなっている。
【００２５】
次に、このセンターコア部材３０を使用して、磁気ディスク６０を製造する方法について図２を参照して説明する。図２に示すように、中央部に孔５１を有する記録媒体５０は、ロール状の磁気シートから引き出されて円盤状に打ち抜かれた後も、ロール状の湾曲面（反り）５２を有する。図２では、記録媒体５０を断面で示してあるが、記録媒体５０の湾曲面５２は、円筒面状であるので紙面と直交する方向のどの記録媒体５０の部分でも同じ程度の湾曲面５２を有する。この記録媒体５０を矢印で示すように、記録媒体５０の反りと固着面３２の円筒面状の湾曲の方向が逆になるように前述のセンターコア部材３０に固着すると、図２（ｂ）で示す形状の磁気ディスク６０が得られる。即ち記録媒体５０の中央部５４が、固着面３２に、例えば接着部材で固着されると中央部５４が固着面３２の形状に倣って固着される。そのため、中央部５４を除く記録媒体５０の部分即ち記録再生領域は、図２において下向きの反りが上方に引き上げられて反りが修正され略平坦な形状となる。
【００２６】
次に、磁気ディスクの他の実施形態について、図３を参照して説明する。図３は、他の変形例のセンターコア部材７０に、図２とは逆の反りを有する記録媒体５０´を固着して磁気ディスク８０を製造する態様を示す側面図であり、図３（ａ）は、固着前、図３（ｂ）は固着後を夫々示す。この磁気ディスク８０に使用されるセンターコア部材７０は、上面の固着面７２が凸面となっている。この凸面も円筒面状であり、紙面と直交する方向に沿って同じ程度に湾曲している。このセンターコア部材７０に、円筒面と逆の反りを有する記録媒体５０´をその中央部５４´で固着すると、図３（ｂ）に示すようになる。即ち、記録媒体５０´が、中央部５４´の反りと逆方向の円筒面状の固着面７２に固着されることにより、記録媒体５０´の中央部５４´以外の記録再生領域の反りが修正されて平坦化される。
【００２７】
次に、他の実施形態の磁気ディスク１００について、図４および図５を参照して説明する。図４は、センターコア部材と記録媒体を固着するための接着部材９２を示す斜視図、図５はこの接着部材９２を使用した磁気ディスク１００を示す部分拡大図である。図４に示す接着部材９２は環状であり、上面（表面）９４が円筒面状の凹面に形成されている。図中仮想線９３で示す部分が、上面９４が平面の場合である。この円筒面状の湾曲は図１の円筒面状の湾曲に相当するものである。
【００２８】
この接着部材９２は、図５に示す円盤状のセンターコア部材９０と組み合わされて使用される。センターコア部材９０は、固着面９６が平坦な形状であり、接着部材９２はこのセンターコア部材９０の固着面９６に、上面９４を上にして接着される。そしてこの上面９４に上向きに反った記録媒体５０を接着（固着）する。これにより、図２で説明した理由と同様な理由で記録媒体５０の記録再生領域が平坦化された磁気ディスク１００が得られる。
【００２９】
次に、上記各種の磁気ディスクを製造する工程について図６を参照して説明する。図６は、一例として、図１および図２に示す実施形態の磁気ディスク６０を製造する工程の概略図である。記録媒体５０は移送通路１１２上を所定間隔で矢印１１０の方向に移動される。この間に記録媒体５０の反りが、例えば、検出装置１１４によって検出される。即ち、１１６で示す工程が反り検出工程となる。
【００３０】
他方、センターコア部材３０は移送通路１１２と直交する移送通路１２０に載置されて、矢印１２２の方に移送される。このときに、例えば、センターコア部材３０の反りの向きが反り検出器１２４によって検出される。このセンターコア部材３０の反りの向きが、記録媒体５０の反りの向きと正しく対応するように修正する方向修正装置１２６によって修正される。この工程が方向制御工程１２８となる。
【００３１】
そして、移送通路１１２および１２０によって夫々導かれた記録媒体５０と、センターコア部材３０は固着部１３０で互いに位置合わせされて図示しない固着装置によって固着される。この固着部１３０で固着する工程が固着工程１３２となる。そして、互いに固着されて製造された磁気ディスク６０は、矢印１３４で示す方向に移送され、次の、図示しない磁気ディスクカートリッジに組み込む工程へ移送される。
【図面の簡単な説明】
【００３２】
【図１】本発明の可撓性磁気ディスクに使用されるセンターコア部材の斜視図
【図２】図１のセンターコア部材に、反りのある可撓性磁気記録媒体を固着する態様を示す側面図であり、（ａ）は固着前、（ｂ）は固着後を夫々示す。
【図３】本発明の他の実施形態の可撓性磁気ディスクを示し、他の変形例のセンターコア部材に、図２とは逆の反りを有する可撓性磁気記録媒体を固着して可撓性磁気ディスクを製造する態様を示す側面図であり、（ａ）は、固着前、（ｂ）は固着後を夫々示す。
【図４】センターコア部材と可撓性磁気記録媒体を固着するための本発明の他の実施形態の接着部材を示す斜視図
【図５】図４に示す接着部材を使用した可撓性磁気ディスクを示す部分拡大図
【図６】図１および図２に示す実施形態の磁気ディスクを製造する工程の概略図
【図７】従来技術の磁気ディスクカートリッジを示し、（ａ）はロータリーシャッタが閉状態にある平面図、（ｂ）は右側面図、（ｃ）は底面図を夫々示す。
【図８】図７の磁気ディスクカートリッジの分解斜視図
【図９】ロール状の磁気記録媒体の素材を示す斜視図。
【符号の説明】
【００３３】
３０、７０    センターコア部材
３２、７２  固着面
５０、５０´    可撓性磁気記録媒体
６０、８０、１００    可撓性磁気ディスク
９２    接着部材
１１６    反り検出工程
１２８    方向制御工程
１３２    固着工程
【図１】
2005259217.tif 000003
【図２】
2005259217.tif 000004
【図３】
2005259217.tif 000005
【図４】
2005259217.tif 000006
【図５】
2005259217.tif 000007
【図６】
2005259217.tif 000008
【図７】
2005259217.tif 000009
【図８】
2005259217.tif 000010
【図９】
2005259217.tif 000011